(57)【要約】【課題】  簡単な装置でありながら、優れた衝撃吸収能力を備えた落橋防止装置を提供する。【解決手段】  橋桁１と橋台２と又は橋桁１と橋桁１とをシャフト３で連結し，橋桁１が橋台２又は橋脚９から落下するのを防止する落橋防止装置において、シャフト３の少なくとも一方の端部を橋桁１又は橋台２から摺動自在に突出させ、この突出した部分の外周に高減衰ゴム５ｂと鋼板５ａとが交互に積層するダンパー５を一体化させると共に、ダンパー５の外周に鋼材からなる外筒６を固定し、 この外筒６を橋桁１又は橋台２に固定するようにした。【選択図】  図１
2006226009.tif 000002
【特許請求の範囲】
【請求項１】
橋桁と橋台と又は橋桁と橋桁とをシャフトで連結し，橋桁が橋台又は橋脚から落下するのを防止する落橋防止装置において、
前記シャフトの少なくとも一方の端部を橋桁又は橋台から摺動自在に突出させ、この突出した部分の外周に高減衰ゴムと鋼板とが交互に積層するダンパーを一体化させると共に、該ダンパーの外周に鋼材からなる外筒を固定し、 該外筒を橋桁又は橋台に固定するようにした落橋防止装置。
【請求項２】
前記シャフトの一方の端部を橋桁又は橋台から摺動自在に突出させ、他方の端部を橋桁又は橋台に固定するようにした請求項１に記載の落橋防止装置。
【請求項３】
前記高減衰ゴムが天然ゴム、クロロプレンゴム、スチレンブタジエンゴム、エチレンプロピレンゴム、シリコーンゴムから選ばれた少なくとも一種の材料からなる請求項１又は２に記載の落橋防止装置。
【請求項４】
前記高減衰ゴムの１７５％せん断変形時の等価減衰定数が０．０５以上である請求項１、２又は３に記載の落橋防止装置。
【発明の詳細な説明】
【技術分野】
【０００１】
この発明は地震等の災害時に橋桁が橋台や橋脚から落下するのを防止するための落橋防止装置に関し、さらに詳しくは、簡単な装置でありながら、優れた衝撃吸収能力を備えた落橋防止装置に関する。
【背景技術】
【０００２】
地震等によって橋脚や橋台に大きな力が作用すると、橋脚や橋台の損壊のみならず、橋桁が橋脚や橋台からずり落ちるという事故が起こる。従来、このような事故を防ぐための落橋防止装置として、橋桁と橋台又は橋桁と橋桁とを連結部材で連結し、この連結部材に種々の緩衝装置を組み込み、この緩衝装置により衝撃力を吸収することが行なわれてきた（例えば、特許文献１、２参照）。
【０００３】
しかしながら、いずれの緩衝装置にあっても、衝撃力の吸収能力を高めるためには、装置自体を大型にしたり、内部機構を複雑にする等の必要があり、未だ研究の余地を残していた。
【特許文献１】特開平９−１６５７１９号公報
【特許文献２】特開平１０−１９５８２１号公報
【発明の開示】
【発明が解決しようとする課題】
【０００４】
この発明の目的は、かかる従来の問題点を解消し、簡単な装置でありながら、優れた衝撃吸収能力を備えた落橋防止装置を提供することにある。
【課題を解決するための手段】
【０００５】
上記目的を達成するためのこの発明の落橋防止装置は、橋桁と橋台と又は橋桁と橋桁とをシャフトで連結し，橋桁が橋台又は橋脚から落下するのを防止する落橋防止装置において、前記シャフトの少なくとも一方の端部を橋桁又は橋台から摺動自在に突出させ、この突出した部分の外周に高減衰ゴムと鋼板とが交互に積層するダンパーを一体化させると共に、該ダンパーの外周に鋼材からなる外筒を固定し、 該外筒を橋桁又は橋台に固定するようにしたことを要旨とする。
【発明の効果】
【０００６】
この発明によれば、橋桁と橋台と又は橋桁と橋桁とを連結するシャフトの少なくとも一方の側の端部を橋桁又は橋台から摺動自在に突出させ、この突出部の外周に高減衰ゴムと鋼板とが交互に積層するダンパーを一体化させると共に、該ダンパーの外周に鋼材からなる外筒を固定し、 該外筒を橋桁又は橋台に固定するようにしたので、地震などにより大きな衝撃力（水平方向）が入力されるとダンパーにおける高減衰ゴムが衝撃エネルギ−を減衰させながら吸収すると共に、ダンパーのエネルギ−吸収能力が限界に達した後は、シャフト自体が衝撃力を吸収して落橋をくい止めるようになっている。したがって、極く簡単な装置でありながら、連結シャフトに加わる衝撃力を効率よく吸収することができる。
【発明を実施するための最良の形態】
【０００７】
以下、この発明の構成につき添付の図面を参照しながら詳細に説明する。
【０００８】
図１はこの発明の実施形態による落橋防止装置を橋台側に設置した状態の一例を示す断面図で、図２は図１の要部を拡大して示す断面図である。
【０００９】
図１において、橋桁１と橋台２とはシャフト３で連結され、シャフト３の一方の端部（図では橋台２側）３ａが橋台２から摺動自在に突出している。一方、シャフト３の他方の端部３ｂは橋桁１に固定されている。シャフト３の突出部分の外周にはダンパー５が一体化され、ダンパー５の外周には鋼材からなる外筒６が固定され、 この外筒６が橋台２に固定されている。
【００１０】
ダンパー５は、図２に示すように、最外層を鋼板５ａとして高減衰ゴム５ｂと鋼板５ａとが交互に積層する積層体で構成され、シャフト３の外周面に接着又は機械的手段による接合により一体化されている。さらに、ダンパー５の最外層の鋼板５ａと外筒６とは溶接又は他の手段により一体化されている。ここで、ダンパー５を構成する高減衰ゴム５ｂと鋼板５ａとの積層数は、橋桁１や橋台２の規模により設定するとよい。
【００１１】
これにより、地震などにより大きな衝撃力（水平方向）が入力されるとダンパー５における高減衰ゴム５ｂが衝撃エネルギ−を減衰させながら吸収すると共に、ダンパー５のエネルギ−吸収能力が限界に達した後は、シャフト３自体が衝撃力を吸収して落橋をくい止めることができる。したがって、極く簡単な装置でありながら、シャフト３に加わる衝撃力を効率よく吸収することができる。
【００１２】
この発明において、外筒６は、図２に示すように、ダンパー５の軸方向への変形を可能にするために、その長さをダンパー５の軸方向の長さより大きくなるように形成し、ダンパー５の両側に空間Ｒ、Ｒを形成している。また、外筒６はフランジ部６ａを有し、このフランジ部６ａにおいてボルトにより橋台２に固定されている。シャフト３の橋台２側の端部３ａには金属沓７ａがナット４ａにより取り付けられており、シャフト３の端部３ａ側が保護キャップ８により覆われている。また、シャフト３の橋桁１側の端部３ｂは金属沓７ｂを介してナット４ｂにより橋桁１に固定されている。  
【００１３】
なお、図１及び図２の実施形態では、シャフト３の端部３ａを橋台２側に突出させた場合を例示したが、シャフト３の端部を橋桁１側に突出させてもよい。さらに、シャフト３の両端部をそれぞれ橋台２側と橋桁１側との両側に突出させるようにしてもよい。また、上述する実施形態では、ダンパー５の最外層を鋼板５ａとした場合を例示したが、ダンパー５の最外層は高減衰ゴム５ｂであってもよい。
【００１４】
図３はこの発明の他の実施形態による落橋防止装置の側面図で、橋桁１と橋桁１とを橋脚９上で連結する場合を示している。図ではシャフト３の両端部をそれぞれ橋桁１、１の両側に突出させており、橋桁１、１の側壁に取り付けられたＬ字鋼１０、１０にシャフト３が外筒６、６を介して取り付けられている。この場合にあっても、シャフト３のいずれか一方の端部は、橋桁１から突出させずに直接橋桁１に固定するようにしてもよい。
【００１５】
この発明において、ダンパー５を構成する高減衰ゴム５ｂとしては、天然ゴム、クロロプレンゴム、スチレンブタジエンゴム、エチレンプロピレンゴム、シリコーンゴムから選ばれた少なくとも一種の材料を使用するとよい。これにより、シャフト３に加わる衝撃エネルギ−を効率よく減衰させ、優れた衝撃吸収力を発揮させることができる。
【００１６】
さらに、上述する高減衰ゴム５ｂの１７５％せん断変形時の等価減衰定数を０．０５以上、１．００以下に設定するとよい。ここで、等価減衰定数とは、高減衰ゴム５ｂの非線形復元力特性を、等価な線形復元力と減衰に置き換えたときの減衰定数をいう。このように等価減衰定数を設定することにより、衝撃エネルギ−を一層効率よく減衰させながら吸収することができる。なお、上述する等価減衰定数は、出願人の開示に係る特開２００２−２０５４６号公報に記載のせん断特性値（Ｈｅｑ）と同様にして求めることができる。
【００１７】
上述するように、この発明の落橋防止装置は、橋桁と橋台と又は橋桁と橋桁とを連結するシャフトの少なくとも一方の側の端部を橋桁又は橋台から摺動自在に突出させ、この突出部の外周に高減衰ゴムと鋼板とが交互に積層するダンパーを一体化させ、このダンパーを外筒を介して橋桁又は橋台に固定することにより、入力された衝撃力をダンパーにより減衰させながら吸収させて落橋をくい止めるようにしたもので、極く簡単な装置でありながら、連結シャフトに加わる衝撃力を効率よく吸収して落橋を防止することができる。
【図面の簡単な説明】
【００１８】
【図１】この発明の実施形態による落橋防止装置を橋台側に設置した状態の一例を示す断面図である。
【図２】図１の要部を拡大して示す断面図である。
【図３】この発明の実施形態による落橋防止装置を橋脚上に設置した状態の一例を示す断面図である。
【符号の説明】
【００１９】
１  橋桁
２  橋台
３  シャフト
４ａ、４ｂ  ナット
５  ダンパ−
５ａ  鋼板
５ｂ  高減衰ゴム
６  外筒
７ａ、７ｂ  金属沓
８  保護キャップ
９  橋脚
１０  Ｌ字鋼
【図１】
2006226009.tif 000003
【図２】
2006226009.tif 000004
【図３】
2006226009.tif 000005